(57)【要約】【課題】雌型圧着端子を収納する複数のキャビティを備えたコネクタハウジングにおいて、コネクタハウジングの小型化や強度向上を図れるようにする。【解決手段】対になる他方の端子が嵌合される端子嵌合部と、被覆電線が接続される電線接続部を有する端子を収納保持するキャビティ２１が形成されたコネクタハウジング１１において、前記端子が、該端子を端面から長手方向に沿って正射影した場合の端子嵌合部の影形状と電線接続部の影形状が重なり合い、且つ重なってできた合成影形状が、端子嵌合部の影形状または電線接続部の影形状と異なる形状である場合に、前記キャビティ２１における電線接続部を収納する電線接続部収納部２３の縦断面形状を、前記合成影形状に嵌合対応する形状に形成する。一方、前記キャビティ２１における端子嵌合部を収納する端子嵌合部収納部２２の縦断面形状を、前記端子嵌合部の影形状に嵌合対応する形状に形成する。【選択図】図３
2014063610.tif 000002
【特許請求の範囲】
【請求項１】
対になる他方の端子が嵌合される端子嵌合部と、被覆電線が接続される電線接続部を有する端子を収納保持するキャビティが形成されたコネクタハウジングであって、
前記端子が、該端子を端面から長手方向に沿って正射影した場合の端子嵌合部の影形状と電線接続部の影形状が重なり合い、且つ重なってできた合成影形状が、端子嵌合部の影形状または電線接続部の影形状と異なる形状であり、
前記キャビティにおける前記電線接続部を収納する電線接続部収納部の縦断面形状が、前記合成影形状に嵌合対応する形状に形成されるとともに、
前記キャビティにおける前記端子嵌合部を収納する端子嵌合部収納部の縦断面形状が、前記端子嵌合部の影形状に嵌合対応する形状、または前記合成影形状に嵌合対応する形状に形成された
コネクタハウジング。
【請求項２】
前記キャビティにおける前記電線接続部収納部の縦断面形状が、略円筒状に形成された前記電線接続部を収容する弧状の曲線部を有するものである
請求項１に記載のコネクタハウジング。
【請求項３】
前記曲線部の一部に、前記端子の電線接続部の一部が面接触する平らな直線部が形成された
請求項２に記載のコネクタハウジング。
【請求項４】
前記キャビティを複数有するとともに、これらキャビティが千鳥状に配設された
請求項１から請求項３のうちのいずれか一項に記載のコネクタハウジング。
【請求項５】
前記請求項１から請求項４のうちのいずれか一項に記載のコネクタハウジングのキャビティに、前記端子が収納保持された
コネクタ。
【発明の詳細な説明】
【技術分野】
【０００１】
この発明は、例えばワイヤハーネスに用いられるような圧着端子等の端子を収納保持するコネクタハウジングに関し、より詳しくは、強度向上を図れるようなコネクタハウジングに関する。
【背景技術】
【０００２】
前掲例の圧着端子は、対になる他方の端子が嵌合される端子嵌合部と、被覆電線が電気的に接続される電線接続部を一直線上に有し、コネクタハウジングのキャビティに収納保持されてワイヤハーネスを構成する。図１０、図１１はその一例で、圧着端子としての雌端子１０１（図１１参照）は被覆電線１０２に接続されて、雌コネクタ１０３のコネクタハウジング１０４におけるキャビティ１０５内に収納保持され、複数本の被覆電線１０２を束ねた状態のワイヤハーネスを構成する。前記雌コネクタ１０３は対になる雄コネクタ１０７に対して着脱可能で、前記雌端子１０１の端子嵌合部１０１ａには、雄コネクタ１０７に収納保持された圧着端子としての雄端子１０８が嵌合する。
【０００３】
雌端子１０１をコネクタハウジング１０４のキャビティ１０５に対して収納するには、下記特許文献１にも開示されているように、雌端子１０１の端子嵌合部１０１ａ側を先端にしてキャビティ１０５内に差し込む。
【０００４】
そのキャビティ１０５は、雌端子１０１の全体を収納可能な長さであり、雌端子１０１の端子嵌合部１０１ａが略直方体形状であることもあって、キャビティ１０５の縦断面形状は、長手方向の全体にわたって方形状に形成されている。そしてキャビティ１０５の大きさは、雌端子１０１を端面から正射影した場合にできる影の形状を囲む大きさに設定されている。
【０００５】
具体的に説明すると、図１１（ａ）に示したように、雌端子１０１は、端子嵌合部１０１ａと電線接続部１０１ｂを有し、端子嵌合部１０１ａは先端に開口を有する略直方体形状で、縦断面形状は方形をなす。一方、電線接続部１０１ｂは適宜のかしめた形状である。図１１では、縦断面略円形のクローズドバレル型のものを示している。
【０００６】
端子嵌合部１０１ａのスタビライザ１０９を省略して模式的に示すと、図１１（ｂ）に示したコネクタハウジング１０４のキャビティ１０５は、図１１（ｂ−１）に示したように、端子嵌合部１０１ａの影（実線で示した部分）よりも電線接続部１０１ｂの影（破線で示した部分）のほうが大きく、端子嵌合部１０１ａの影の全体が電線接続部１０１ｂの影に隠れてしまうような形態の雌端子１０１の場合には、電線接続部１０１ｂの影の形状に嵌合対応する縦断面方形状（仮想線で示した部分）に形成されている。
【０００７】
図１１（ｂ−２）に示したように、端子嵌合部１０１ａの影（実線で示した部分）よりも電線接続部１０１ｂの影（破線で示した部分）のほうが小さく、電線接続部１０１ｂの影の全体が端子嵌合部１０１ａの影に隠れてしまうような形態の雌端子１０１の場合には、端子嵌合部１０１ａの影の形状に嵌合対応する縦断面方形状（仮想線で示した部分）に、キャビティ１０５が形成されている。
【０００８】
図１１（ｂ−３）に示したように、端子嵌合部１０１ａの影（実線で示した部分）から電線接続部１０１ｂの影（破線で示した部分）がはみ出し、端子嵌合部１０１ａの影と電線接続部１０１ｂの影を重ね合わせた合成影形状が、端子嵌合部１０１ａの影形状とも電線接続部１０１ｂの影形状とも異なる雌端子１０１の場合には、前記合成影形状を囲む方形状の縦断面形状（仮想線で示した部分）に、キャビティ１０５が形成されている。
【０００９】
このようにコネクタハウジング１０４のキャビティ１０５は、長手方向全体にわたって縦断面形状が方形状で、端子嵌合部１０１ａと電線接続部１０１ｂのいずれをも囲む大きさに設定されているので、図１１（ｂ）のいずれの場合も、キャビティ１０５に雌端子１０１を収納した状態においてキャビティ１０５と雌端子１０１との間、特に電気接続部１０１ｂの四隅部分に隙間ができる。この隙間は比較的大きいうえに、キャビティ１０５を囲む壁部分は同一厚の板状であるので、外力を受けた場合にコネクタハウジング１０４や雌端子１０１の変形を許容する変形許容度が高い。このため、不測に断線等を引き起こすことが考えられた。
【００１０】
また、コネクタハウジング１０４は複数本の雌端子１０１を保持し、相手方に対して抜き差しして使用されるので、コネクタハウジング１０４には十分に高い強度を有することが望まれる。しかし、小型化の要求もあるなか、キャビティ１０５を囲む壁部分の最も薄い部分の薄さを維持した状態のままコネクタハウジング１０４の強度を向上することは困難であった。
【先行技術文献】
【特許文献】
【００１１】
【特許文献１】特開平１１−１４４７９１号公報
【発明の概要】
【発明が解決しようとする課題】
【００１２】
そこで、この発明は、コネクタハウジングの強度向上を図れるようにすることを主な目的とする。
【課題を解決するための手段】
【００１３】
そのための手段は、対になる他方の端子が嵌合される端子嵌合部と、被覆電線が接続される電線接続部を有する端子を収納保持するキャビティが形成されたコネクタハウジングであって、前記端子が、該端子を端面から長手方向に沿って正射影した場合の端子嵌合部の影形状と電線接続部の影形状が重なり合い、且つ重なってできた合成影形状が、端子嵌合部の影形状または電線接続部の影形状と異なる形状であり、前記キャビティにおける前記電線接続部を収納する電線接続部収納部の縦断面形状が、前記合成影形状に嵌合対応する形状に形成されるとともに、前記キャビティにおける前記端子嵌合部を収納する端子嵌合部収納部の縦断面形状が、前記端子嵌合部の影形状に嵌合対応する形状、または前記合成影形状に嵌合対応する形状に形成されたコネクタハウジングである。前記「重なってできた合成影形状」とは、端子嵌合部の影形状と電線接続部の影形状を合わせた形状である。
【００１４】
この構成では、キャビティの縦断面形状が端子嵌合部の影形状と電線接続部の影形状の合成影形状を囲む大きさの方形状ではなく、端子を収納するのに必要な最小限または最小限に近い形状であるので、１極あたりに要するキャビティの大きさが小さく、変形許容度は低い。そのうえ、キャビティの縦断面形状は方形ではなく、少なくともキャビティの電線接続部収納部では方形と他の形状が重なり合った形状となる。このため、キャビティを囲む壁部分は同一厚の板状ではなく、部分的に厚さが増す非板状となるので、コネクタハウジングの強度が高まる。
【００１５】
この発明の態様として、前記キャビティにおける前記電線接続部収納部の縦断面形状が、略円筒状に形成された前記電線接続部を収容する弧状の曲線部を有するコネクタハウジングであってもよい。前記「略円筒」とは真円を含む意味である。
【００１６】
この構成では、キャビティの電線接続部収納部の縦断面形状が方形の一部をなす複数本の直線と、曲線部との結合で形成されるので、強度をきわめて高くすることができる。
【００１７】
この発明の態様として、前記曲線部の一部に、前記端子の電線接続部の一部が面接触する平らな直線部が形成されたコネクタハウジングとしてもよい。
【００１８】
この構成では、端子が圧着端子の場合、圧着時に形態に歪が生じても歪を許容しやすくなる。
【００１９】
この発明の態様として、前記キャビティを複数有するとともに、これらキャビティが千鳥状に配設されたコネクタハウジングとしてもよい。
【００２０】
この構成では、キャビティが格子状に配設された従来のコネクタハウジングと比較して、キャビティ間の距離を、キャビティの縦断面形状を前記のようにして縦横に格子状に配設した場合よりも更に短くできる。
【００２１】
別の手段は、前記コネクタハウジングのキャビティに、前記端子が収納保持されたコネクタである。
【発明の効果】
【００２２】
この発明によれば、キャビティの形状が無駄のない、又は無駄の少ない形状であり、しかも、少なくともキャビティにおける電線接続部収納部の縦断面形状が方形ではなく異形となるので、キャビティを囲む壁部分の最も薄い部分の薄さを維持した状態のままコネクタハウジングの強度向上が実現できる。
【図面の簡単な説明】
【００２３】
【図１】コネクタとコネクタハウジングの斜視図。
【図２】端子付き被覆電線の斜視図。
【図３】コネクタハウジングのキャビティを示す断面図。
【図４】コネクタハウジングのキャビティ形状を説明する説明図。
【図５】コネクタハウジングのキャビティを示す拡大断面図。
【図６】コネクタハウジングのキャビティの他の例を示す断面図。
【図７】コネクタハウジングのキャビティの他の例を示す拡大断面図。
【図８】雌端子を保持した状態のキャビティの断面図。
【図９】コネクタハウジングにおけるキャビティの配列状態を示す断面図。
【図１０】従来技術の斜視図。
【図１１】従来の端子付き被覆電線の側面図と、従来のコネクタハウジングのキャビティの説明図。
【発明を実施するための形態】
【００２４】
この発明を実施するための一形態を、以下図面を用いて説明する。  
図１（ａ）は、コネクタとしての雌コネクタ１１の斜視図であり、雌コネクタ１１はコネクタハウジング１２を有する。図面において、コネクタハウジング１２は便宜上、簡略化して図示している。図１（ａ）はコネクタ１１の正面側からの斜視図、図１（ｂ）はコネクタハウジング１２の背面側からの斜視図である。
【００２５】
コネクタハウジング１２は合成樹脂製で、端子としての雌型圧着端子３１（以下、「雌端子」という）を収納保持する複数のキャビティ２１を備えており、複数本の雌端子付き被覆電線４１をコネクタハウジング１２に収納して保持させると、ワイヤハーネスを構成することになる。
【００２６】
まず、雌端子３１について説明してから、コネクタハウジング１２について説明する。
【００２７】
雌端子３１は銅又は銅合金からなる。雌端子３１には、図２にも示したように、対になる他方の端子等（雄端子１０８。図１０参照）が嵌合する端子嵌合部３２と、被覆電線４２が接続される電線接続部３３が、長手方向に沿って並設されている。
【００２８】
端子嵌合部３２は、全体として略角筒状で、対になる相手方としての前記雄端子１０８やジョイントコネクタ（図示せず）が先端の開口から嵌合され、雄端子１０８と電気的に接続される部分である。端子嵌合部３２の形状は略角筒状であるので、端子嵌合部３２の縦断面形状は方形状となる。端子嵌合部３２における電線接続部３３側の下部には、左右２枚のスタビライザ３４が突設されている。
【００２９】
前記電線接続部３３は、前記端子嵌合部３２側の端部３３ａを封止状態で閉じた略円筒状に形成されており、この電線接続部３３は、導体４３を剥き出しにした被覆電線４２の端末部を絶縁被覆４４部分まで差し込んでから電線接続部３３を適宜形状にかしめることによって、導体４３と電気接続部３３を電気的に接続するとともに、絶縁被覆４４と電気接続部３３との間を止水可能な状態に封止する部分である。封止により、被覆電線４２の導体４３は外部から隔離され、水や水分に触れることがない。電線接続部３３の縦断面形状は略円筒状であるので、電線接続部３３のうち、最も大きい断面形状を有する部分（前記端子嵌合部３２とは反対側の端部）の縦断面形状は略円形となる。
【００３０】
この発明のコネクタハウジング１２に収納保持される雌端子３１には、前記端子嵌合部３２と前記電線接続部３３の形状、大きさ、位置関係において、次のような関係にあるものが使用される。すなわち、雌端子３１を端面から長手方向に沿って正射影した場合の端子嵌合部３２の影形状と電線接続部３３の影形状が重なり合い、且つ重なってできた合成影形状が、端子嵌合部３２の影形状または電線接続部３３の影形状と異なる形状となる雌端子３１である。
【００３１】
一例をあげると、仮想の端子嵌合部３２の縦断面形状のうち最も断面形状が大きくなる部分の縦断面形状と、仮想の電線接続部３３の縦断面形状のうち最も断面形状が大きくなる部分の縦断面形状を、上下左右にずらさずに雌端子３１の長手方向に移動して重ね合わせた場合に、端子嵌合部３２の縦断面形状（前記端子嵌合部３２の影形状）が電線接続部３３の縦断面形状（前記電線接続部３３の影形状）に埋没したり、逆に、電線接続部３３の縦断面形状（前記電線接続部３３の影形状）が端子嵌合部３２の縦断面形状（前記端子嵌合部３２の影形状）に埋没したりしないで、端子嵌合部３２の縦断面形状（前記端子嵌合部３２の影形状）の外形線と電線接続部３３の縦断面形状（前記電線接続部３３の影形状）の外形線とが混ざり合って一つの縦断面形状（前記合成影形状）を構成できる雌端子３１がある。
【００３２】
このほか、端子嵌合部３２の縦断面形状（前記端子嵌合部３２の影形状）と電線接続部３３の縦断面形状（前記電線接続部３３の影形状）のいずれかが、断面形状が最も大きくなる部分以外の部分において、他方よりも外周方向に張り出す部分を長手方向の一カ所以上に有する雌端子３１がある。
【００３３】
図示例の電線接続部３３を有する雌端子３１は、いわゆるクローズドバレル型の圧着端子であるが、オープンバレル型の圧着端子であってもよい。
【００３４】
このように端子嵌合部３２と電線接続部３３を有する雌端子３１は、帯状の基材を打ち抜いて、搬送しながら折り曲げや溶接を施して製造されたのち、電線接続部３３に被覆電線４２が接続されて、この状態で端子嵌合部３２側から前記コネクタハウジング１２のキャビティ２１に挿入して保持される。
【００３５】
なお、前記被覆電線４２は、導体４３が銅又は銅合金からなるもののほか、アルミ又はアルミ合金からなるものを用いると、ワイヤハーネスの軽量化を図れるのでよい。
【００３６】
つづいて、前記コネクタハウジング１２について説明する。
【００３７】
コネクタハウジング１２は、図１（ａ）に示したように、雄コネクタ１０７（図１０参照）に嵌合する側の先端面１２ａと、この先端面１２ａと平行で、前記端子付き被覆電線４１の雌端子３１部分を収納したときに被覆電線４２が引き出される側の後端面１２ｂ（図１（ｂ）参照）を有し、キャビティ２１は、これら先端面１２ａ側の部分から後端面１２ｂにかけて、前記雌端子３１が十分に収まる長さに形成されている。
【００３８】
コネクタハウジング１２の先端面１２ａに形成されている挿入口１２ｃは、前記雄端子１０８（図１０参照）の挿入を許容する部分である。コネクタハウジング１２の後端面１２ｂには、キャビティ２１の後端が開口している。この開口形状は、雌端子３１の端子嵌合部３２の縦断面形状とも、電線接続部３３の縦断面形状とも異なる形状である。
【００３９】
図３（ａ）の断面図に、一つのキャビティ２１の長手方向全体にわたっての形状を示す。図３（ａ）中、キャビティ２１の底部分に描かれている破線部分は、雌端子３１の端子嵌合部３２に形成されたスタビライザ３４が嵌るガイド溝１３である。
【００４０】
この図に示したようにキャビティ２１は、先端面１２ａ側の部分と、後端面１２ｂ側の部分を有する。これらはそれぞれ、前記端子嵌合部３２を収納する端子嵌合部収納部２２と、前記電線接続部３３を収納する電線接続部収納部２３である。
【００４１】
そして、キャビティ２１における電線接続部収納部２３の縦断面形状と、端子嵌合部収納部２２の縦断面形状は相違するが、それらの長手方向全体にわたっての形状・大きさは同一である。なお、同一の形状・大きさとは、完全同一を意味もするのではなく、抜き勾配程度の違いがあるものを含む意味である。また、図３においては、端子嵌合部収納部２２と電線接続部収納部２３を明確に区分した例を図示したが、キャビティ２１は、端子嵌合部収納部２２と電線接続部収納部２３の間が連続的につながった形状であっても、端子嵌合部収納部２２と電線接続部収納部２３の間に電線接続部収納部２３側が広がるように傾斜する傾斜面を有する部分を備えた形状であってもよい。
【００４２】
電線接続部収納部２３の縦断面形状は、図４に示したように、前記端子嵌合部３２の影形状Ｆ１、つまり端子嵌合部３２における最も大きい縦断面形状の部分に相当する形状（ただし、スタビライザ３４のような付属的な部分を除く）と、前記電線接続部３３の影形状Ｆ２、つまり電線接続部３３における最も大きい縦断面形状が重なり合った前記合成影形状Ｆ３に嵌合対応する形状に形成されている（図３（ｃ）、図５（ｂ）参照）。図４中の一点鎖線Ｌ１は、前記端子嵌合部３２の影形状Ｆ１の中心点Ｐ１と前記電線接続部３３の影形状Ｆ２の中心点Ｐ２が、雌端子３１の長手方向の同一線上にあって、上下左右においてずれていないことを示している。
【００４３】
前記合成影形状Ｆ３は、具体的には、方形状の前記端子嵌合部３２の影形状Ｆ１における直線状の４辺（直線状部２４）のそれぞれの中間部に、雌端子３１の電線接続部３３の略円筒状の形態に対応する弧状の曲線部２５を有する縦断面形状である。曲線部２５は円弧状である。
【００４４】
一方、端子嵌合部収納部２２の縦断面形状は、前記端子嵌合部３２の影形状Ｆ１、つまり端子嵌合部３２における最も大きい縦断面形状の部分に相当する形状（ただし、スタビライザのような付属的な部分を除く）に嵌合対応する形状に形成されている（図３（ｂ）、図５（ａ）参照）。具体的には、端子嵌合部収納部２２の縦断面形状は方形状である。
【００４５】
端子嵌合部収納部２２の縦断面形状は、前記電線接続部収納部２３の縦断面形状と同じであってもよい。つまり、図６（ａ）に示したように、端子嵌合部収納部２２と電線接続部収納部２３とからなるキャビティ２１の長手方向の全体にわたって、前記合成影形状Ｆ３に嵌合対応する形状にすることもできる。図６（ａ）中、仮想線Ｌ２は、端子嵌合部収納部２２と電線接続収納部２３の境界を示す線である。
【００４６】
また、図６（ｂ）に示したように、キャビティ２１の電線接続部収納部２３における後端面１２ｂ側の角部には、角アール部２６や面取り部を形成してもよい。角アール部２６等を有することによって、雌端子３１の挿入が容易になる。
【００４７】
キャビティ２１の形状は前記の形状以外の形状とすることもできる。キャビティ２１の端子嵌合部収納部２２と電線接続部収納部２３の縦断面形状の他の若干例を、図７に示す。
【００４８】
図７（１−ｂ）は、電線接続部収納部２３の内周面における前記曲線部２５の一部に、前記雌端子３１の電線接続部３３の一部が面接触する平らな直線部２７を有する例である。すなわち、方形状の前記端子嵌合部３２の影形状Ｆ１における４辺のそれぞれの中間部に、前記曲線部２５が形成されるが、この曲線部２５の中間部に前記直線部２７を形成している。
【００４９】
端子嵌合部収納部２２の形状は、図７（１−ａ）に示したように、前記図５に示した形状と同一である。
【００５０】
前記のような直線部２７を有する場合には、被覆電線４２の接続時に雌端子３１の電線接続部３３に歪が生じたときでも、電線接続部３３は直線部２７と線接触するので、電線接続部収納部２３に対する電線接続部３３の挿入に際して歪を許容しやすくなる。
【００５１】
図７（２−ａ）、（２−ｂ）、（３−ａ）、（３−ｂ）は、前記端子嵌合部３２の影形状Ｆ１の中心点Ｐ１と前記電線接続部３３の影形状Ｆ２の中心点Ｐ２が、雌端子３１の長手方向において上下にずれており、同一直線状にない場合の例を示している（図４参照）。これらの場合には、電線接続部収納部２３の形状が、上下左右ともに対称の形状にはならない。
【００５２】
図７（２−ｂ）に示した電線接続部収納部２３の縦断面形状は、円形の左右両下端部のみに、端子嵌合部収納部２２の角が突出する形状である。これは、端子嵌合部３２の左右方向の長さが電線接続部３３の直径よりも短いが、端子嵌合部収納部２２の縦断面形状の中心点Ｐ１が電線接続部収納部２３の縦断面形状の中心点Ｐ２よりも低く、端子嵌合部収納部２２の縦断面形状の上下方向の長さが電線接続部３３の直径よりも短いからである。
【００５３】
図７（３−ｂ）に示した電線接続部収納部２３の縦断面形状は、円形の左右両側の下側に寄った部分のみに、端子嵌合収納部２２の両端部が突出する形状である。これは、端子嵌合部３２の左右方向の長さが電線接続部３３の直径よりも大幅に長いうえに、端子嵌合部収納部２２の縦断面形状の中心点Ｐ１が電線接続部収納部２３の縦断面形状の中心点Ｐ２よりも低く、端子嵌合部収納部２２の縦断面形状の上下方向の長さが電線接続部３３の直径よりも短いからである。
【００５４】
このように、端子嵌合部３２の影形状Ｆ１と、電線接続部３３の影形状Ｆ２と、それぞれの中心点Ｐ１，Ｐ２との関係により、合成影形状Ｆ３はさまざまな形状になり得る。
【００５５】
以上のように構成されたコネクタハウジング１２には、図８に示したように、被覆電線４２が接続された雌端子３１が収納保持されて、雌コネクタ１１が構成される。
【００５６】
雌端子３１をコネクタハウジング１２に保持するには、コネクタハウジング１２の後端面１２ｂに開口しているキャビティ２１に対して雌端子３１を端子嵌合部３２側から挿入する。挿入するとスタビライザ３４はガイド溝１２ｃをすべり、端子嵌合部３２は、キャビティ２１内の端子嵌合部収納部２２に収まる。同時に、電線接続部３３はキャビティ２１内の電線接続部収納部２３に収まる。この状態において、端子嵌合部３２は、端子嵌合部３２の影形状Ｆ１が嵌合対応する形状の端子嵌合部収納部２２に対し、電線接続部３３は、電線接続部３３の影形状Ｆ２が嵌合対応する形状の電線接続部収納部２３に対し、ぴったりとした収納状態で収まる。
【００５７】
つまり、キャビティ２１の形状は、雌端子３１を収納するのに必要な最小限に近づけた大きさにできるので、キャビティ２１の大きさを小さくできる。換言すれば、無駄な空間を省いて、１極あたりに要するキャビティ２１の大きさを抑えることができることになるとともに、外力を受けた場合にコネクタハウジング１２や雌端子３１の変形を許容する変形許容度を低くすることになる。このため、不測に断線等を引き起こすようなことを回避できる。
【００５８】
しかも、キャビティ２１の少なくとも電線接続部収納部２３の縦断面形状は、方形ではなく、直線と曲線が混じった輪郭を有する縦断面形状となるので、キャビティ２１を囲む壁部分には厚さの厚い部分が部分的にできるので、強度が高まる。また、壁部分のうち厚い部分は、キャビティ２１の形態や雌端子３１の保持状態の安定化のための適宜の構造に利用することもできる。
【００５９】
強度の向上は、キャビティ２１を囲む壁部分のうち最も薄い部分の薄さを確保してコネクタハウジング１２の小ささを保った状態のまま実現できるので、強度の向上に際してコネクタハウジング１２が大型化するような不都合はなく、小さくて強度高いかコネクタハウジング１２を得られる。
【００６０】
この点について、図９を用いて具体的に説明する。図９では、電線接続部収納部２３部分におけるコネクタハウジング１２の断面図を示している。
【００６１】
縦断面形状が方形状のキャビティ１０５（図９（ａ）、図１０参照）を有する従来構造のコネクタハウジング１０４（図９（ａ）、図１０参照）の場合には、キャビティ１０５を仕切る壁部分が板状であるので、強度の点からある程度の厚みを要したが、前記のように直線と曲線が混じった輪郭を有する縦断面形状のキャビティ２１を有する場合には、図９（ｂ）に示したように、キャビティ２１を仕切る壁部分が凹凸を有するとともに、部分的に従来以上の厚みが得られるので、キャビティ２１間の間隔を確保する最も厚さが薄い部分の薄さを維持しつつも、キャビティ２１の強度を高くすることができる。
【００６２】
キャビティ２１を、図９（ｂ）のように格子状に配設するのではなく、図９（ｃ）に示したように、キャビティ２１の縦断面形状における上下方向で最も高さが高い部分が上下方向において一直線上に並ばないように千鳥状に配設すると、キャビティ２１間の上下方向の距離（ピッチ）を短くすることができる。この結果、コネクタハウジング２１の上下方向の高さを小さくしてコネクタハウジング２１の小型化を実現できるとともに、キャビティ２１数を増やすこともできる。
【００６３】
雌端子３１の電線接続部３２は、従来主流だったオープンバレル型のものから、ワイヤハーネスのアルミ電線化による軽量化と、これに伴って考えられる異種金属接触による腐食容易化の回避のために、前記のようなクローズドバレル型の雌端子３１が用いられるようになりつつあるが、クローズドバレル型の雌端子３１の場合には電線接続部３２の直径が端子嵌合部３２の上下左右の長さよりも大きくなりがちである。また、被覆電線４２に太いものが必要な場合もある。このような場合には、前記のように、雌端子３１を端面から長手方向に沿って正射影した場合の端子嵌合部３２の影形状と電線接続部３３の影形状が重なり合い、且つ重なってできた合成影形状が、端子嵌合部３２の影形状または電線接続部３３の影形状と異なる形状となる雌端子３１が必要となる。
【００６４】
このようなとき、従来の構成であると１極あたりのキャビティの大きさが大きくなってしまい、近年の軽量化や小型化の流れに逆行するようなことにもなりかねなかったが、この発明によって、軽量化や小型化を更に推進することができるようになる。
【００６５】
この発明の構成と、前記一形態の構成との対応において、  
この発明の端子は、前記雌型圧着端子３１（雌端子）に対応し、  
同様に、  
コネクタは、雌コネクタ１１に対応するも、  
この発明は前記の構成のみに限定されるものではなく、その他の構成を採用することもできる。
【００６６】
例えば、端子は、圧着端子のほか、圧接端子とうであってもよい。
【００６７】
また、端子は雌型端子のほか、雄型端子であってもよい。
【００６８】
さらに、キャビティは端子を差し込んで保持する構造のものではなく、端子をキャビティにおいてから蓋をかぶせて保持する構造のものであってもよい
【符号の説明】
【００６９】
１１…雌コネクタ
１２…コネクタハウジング
２１…キャビティ
２２…端子嵌合部収納部
２３…電線接続部収納部
２５…曲線部
２７…直線部
３１…雌型圧着端子
３２…端子嵌合部
３３…電線接続部
４２…被覆電線
Ｆ１…端子嵌合部の影形状
Ｆ２…電線接続部の影形状
Ｆ３…合成影形状
【図１】
2014063610.tif 000003
【図２】
2014063610.tif 000004
【図３】
2014063610.tif 000005
【図４】
2014063610.tif 000006
【図５】
2014063610.tif 000007
【図６】
2014063610.tif 000008
【図７】
2014063610.tif 000009
【図８】
2014063610.tif 000010
【図９】
2014063610.tif 000011
【図１０】
2014063610.tif 000012
【図１１】
2014063610.tif 000013